【手続補正書】
【提出日】平成20年7月11日(2008.7.11)
【手続補正１】
【補正対象書類名】特許請求の範囲
【補正対象項目名】全文
【補正方法】変更
【補正の内容】
【特許請求の範囲】
【請求項１】
ソケット（１）、インレー（２）、頭部（３）、及び軸（５）から成る股関節内プロテーゼシステムであって、
上記ソケット（１）に凹部（１４）又は略対向する２つの凹部（１４）が設けられ、かつ、該凹部が、半球水平線を越えたこの領域において上記ソケット（１）の寸法を低減すること、及び
上記凹部（１４）が、伸長／屈曲面における上記頸部（４）の可動域が増大され且つ強い衝突が回避されるように配置されること、
を特徴とする股関節内プロテーゼシステム。
【請求項２】
請求項１に記載の股関節内プロテーゼシステムにおいて、
更に、上記ソケット（１）に固定される上記インレー（２）に、凹部（２４）又は略対向する２つの凹部（２４）が設けられ、かつ、該凹部が、半球水平線を越えたこの領域において上記インレー（２）の寸法を低減すること、及び
上記凹部（２４）が、伸長／屈曲面における上記頸部（４）の可動域が増大されるように配置されること、
を特徴とするもの。
【請求項３】
請求項１又は２のいずれか１項に記載の股関節内プロテーゼシステムにおいて、上記ソケット（１）に固定される上記インレー（２）に、概ね外転／内転面に配される１つ又は複数のインレー隆起部（２５）が設けられ、かつ、該インレーが上記半球体を越えて拡大されること、を特徴とするもの。
【請求項４】
請求項１〜３のいずれか１項に記載の股関節内プロテーゼシステムにおいて、インレー内面（２３）と頭部外面（３３）との間の関節式結合に加え、上記ソケットの内面（１１）と上記インレーの外面（２１）とが摺動の対として構成されること、を特徴とするもの。
【請求項５】
請求項１〜４のいずれか１項に記載の股関節内プロテーゼシステムにおいて、上記インレー（２）が生理的可動域内では上記ソケット（１）から転位不能となるよう、ソケット（１）とインレー（２）との間の動きが、ポジティブロックし重なり合う方法で１つ又は複数の溝（２２）に係合する１つ又は複数の案内／止め（１２）により、１つの中心線および回転に限定されること、を特徴とするもの。
【請求項６】
請求項５に記載の股関節内プロテーゼシステムにおいて、上記案内（１２）が上記インレー（２）に配置され、かつ、上記溝（２２）が上記ソケット（１）に配置されること、を特徴とするもの。
【請求項７】
請求項５に記載の股関節内プロテーゼシステムにおいて、上記案内（１２）が上記ソケット（１）に配置され、かつ、上記溝（２２）が上記インレー（２）に配置されること、を特徴とするもの。
【請求項８】
請求項１〜７のいずれか１項に記載の股関節内プロテーゼシステムにおいて、上記頭部（３）が生理的可動域内では上記ソケット（１）から転位不能となるよう、ソケット（１）と頭部（３）との間の動きが、ポジティブロックし重なり合う方法で１つ又は複数の溝（２２）に係合する１つ又は複数の案内／止め（１２）により、１つの中心線および回転に限定されること、を特徴とするもの。
【請求項９】
請求項８に記載の股関節内プロテーゼシステムにおいて、上記案内（１２）が上記インレー（２）に配置され、かつ、上記溝（２２）が上記頭部（２２）に配置されること、を特徴とするもの。
【請求項１０】
請求項８に記載の股関節内プロテーゼシステムにおいて、上記案内（１２）が上記頭部（３）に配置され、かつ、上記溝（２２）が上記インレー（２）に配置されること、を特徴とするもの。
【請求項１１】
請求項１〜１０のいずれか１項に記載の股関節内プロテーゼシステムにおいて、上記インレー（２）が端部止めでは上記ソケット（１）から転位不能となるが、生理的可動域の範囲内では幾つかの中心線および回転が自由であるものの、完全な回転は回避されるよう、極端な偏位の場合のみに、ソケット（１）とインレー（２）との間の動きが、１つ又は複数の溝（２２）に係合する１つ又は複数の案内／止め（１２）により限定されること、を特徴とするもの。
【請求項１２】
請求項１〜１１のいずれか１項に記載の股関節内プロテーゼシステムにおいて、上記インレー（２）が端部止めでは上記ソケット（１）から転位不能となるが、生理的可動域の範囲内では幾つかの中心線および回転が自由であるものの、完全な回転は回避されるよう、極端な偏位の場合のみに、頭部（３）とインレー（２）との間の動きが、１つ又は複数の溝（２２）に係合する１つ又は複数の案内／止め（１２）により限定されること、を特徴とするもの。
【請求項１３】
請求項１１又は１２に記載の股関節内プロテーゼシステムにおいて、ソケット（１）、インレー（２）、及び頭部（３）の球状中心が、前記インレー（２）自体が心合わせするように構成されること、を特徴とするもの。
【請求項１４】
請求項１１〜１３のいずれか１項に記載の股関節内プロテーゼシステムにおいて、対応する可動域が有効である場合、上記インレー隆起部（２５）が半径方向に囲繞する形態を有すること、を特徴とするもの。
【請求項１５】
請求項１〜１４のいずれか１項に記載の股関節内プロテーゼシステムにおいて、上記ソケット（１）が、ねじ（７）によって基本的に固定されるために、又は上記案内／止め（１２）を取り付けるために用いられる１つ又は複数のボアホール／受け器（１３）を含むこと、を特徴とするもの。
【請求項１６】
請求項１５に記載の股関節内プロテーゼシステムにおいて、上記ねじ（７）と案内／止め（１２）との組み合わせが設けられること、を特徴とするもの。
【請求項１７】
請求項１５又は１６に記載の股関節内プロテーゼシステムにおいて、上記案内／止め（１２）が、自らの中心線周りの回転又は部分回転を許容すること、を特徴とするもの。
【請求項１８】
請求項１５〜１７のいずれか１項に記載の股関節内プロテーゼシステムにおいて、骨への更なる固定のため、上記ソケットの縁部に追加のラッチ又はボアホールが設けられること、を特徴とするもの
【請求項１９】
請求項１〜１８のいずれか１項に記載の股関節内プロテーゼシステムにおいて、上記インレー（２）が、基本インレーユニット（２８）と１つ又は複数の閉鎖部（２９）とから成ること、を特徴とするもの。
【請求項２０】
請求項１９に記載の股関節内プロテーゼシステムにおいて、手術中の再配置後、上記１つ又は複数の閉鎖部（２９）が、ポジティブロック突出部（２８１）及びポジティブロック溝（２９１）によるポジティブロック接続により、又はねじ山（２８２）及びねじ（２９２）により、上記基本インレーユニット（２８）に固定されること、を特徴とするもの。
【請求項２１】
請求項１９又は２０に記載の股関節内プロテーゼシステムにおいて、上記１つ又は複数の閉鎖部（２９）が、対応して構成される場合には吸収性材料から作られること、を特徴とするもの。
【請求項２２】
ソケット（１）、インレー（２）、頭部（３）、別体の頸部（４）、及び軸（５）から成る股関節内プロテーゼシステムであって、
上記頸部（４）が、上記頭部（３）の円錐体受け器（３１）と同様に、近位に従来の円錐体（４１）が、遠位に軸接続部（４３）が形成され、かつ、該軸接続部が、円錐体受け器、ねじ接続、又は他の何らかのポジティブロック接続のいずれかとして形成されること、
を特徴とする股関節内プロテーゼシステム。
【請求項２３】
請求項２２に記載の股関節内プロテーゼシステムにおいて、上記頸部（４）がＣＣＤ補正角（ε）を有し、かつ、上記軸（５）上での上記頸部（４）の回転が、軸方向回転防止受け器（４４）並びに回転防止ピン（５４）により防止されること、を特徴とするもの。
【請求項２４】
請求項２３に記載の股関節内プロテーゼシステムにおいて、上記軸（５）の前捻／後捻を補償するため、幾つかの回転防止受け器（４４）及び回転防止ピン（５４）が設けられること、を特徴とするもの。
【請求項２５】
請求項２３又は２４に記載の股関節内プロテーゼシステムにおいて、上記軸結合部（４３）がねじ結合として構成される場合、回転がカウンタナット（６）又は他のねじロック機構によって防止可能であること、を特徴とするもの。
【請求項２６】
請求項２３〜２５のいずれか１項に記載の股関節内プロテーゼシステムにおいて、上記軸（５）が近位内方に適合面（５２）を有し、かつ、該適合面が、この領域において上記軸（５）を短縮するためにも用いることができ、これによりモジュール式頸部（４）の使用が可能となること、を特徴とするもの。
【請求項２７】
請求項２６に記載の股関節内プロテーゼシステムにおいて、上記軸の基本形状が、略楔形の形態を成し、水平面ではテーパ角（π）にて、矢状面ではテーパ角（ρ）にて、先端（５８）まで先細にされること、を特徴とするもの。
【請求項２８】
請求項２７に記載の股関節内プロテーゼシステムにおいて、近位内方において湾曲（５７）が上記軸に存すること、を特徴とするもの。
【請求項２９】
請求項２７又は２８に記載の股関節内プロテーゼシステムにおいて、上記頸部結合部（５１）が、請求項２２に記載の軸接続部（４３）と同様に形成されること、を特徴とするもの。
【請求項３０】
請求項２７〜２９のいずれか１項に記載の股関節内プロテーゼシステムにおいて、請求項２２と同様に、１つ又は複数の回転防止ピン（５４）又は回転防止受け器が設けられること、を特徴とするもの。
【請求項３１】
請求項２２〜３０のいずれか１項に記載の股関節内プロテーゼシステムにおいて、上記軸（５）に１つ又は複数のリブ及び／又は溝（５３）が設けられ、かつ、該リブ及び／又は溝が、水平面において上記軸の中心線と平行に、又は矢状面において上記テーパ角（ρ）と略平行に延びること、を特徴とするもの。
【請求項３２】
請求項３１に記載の股関節内プロテーゼシステムにおいて、上記リブ／溝が、セメント合着の手術技術用には滑らかで円形の形態を有すること、を特徴とするもの。
【請求項３３】
請求項３１に記載の股関節内プロテーゼシステムにおいて、上記リブ／溝が、非セメント合着の手術技術用にはより鋭利な形態を有すること、を特徴とするもの。
【請求項３４】
請求項２２〜３３のいずれか１項に記載の股関節内プロテーゼシステムにおいて、上記軸（５）が打込み／引抜きアダプタ（５５）を含むこと、を特徴とするもの。
【請求項３５】
請求項２２〜３４のいずれか１項に記載の股関節内プロテーゼシステムにおいて、上記軸（５）に肩平坦部（５９）が設けられること、を特徴とするもの。
【請求項３６】
請求項２２〜３５のいずれか１項に記載の股関節内プロテーゼシステムにおいて、上記軸（５）が、手術中に案内棒（８）を使用して上記軸（５）を整合させるための中央ボアホール（５６）を含むこと、を特徴とするもの。
【請求項３７】
請求項３６に記載の股関節内プロテーゼシステムにおいて、上記案内棒（８）が、フランジ（８１）及び／又は遮断体接続部（８２）を含むこと、を特徴とするもの。
【請求項３８】
請求項３６又は３７に記載の股関節内プロテーゼシステムにおいて、上記案内棒（８）に、中央ボアホール（８３）及び追加の通気口（８４）が設けられること、を特徴とするもの。
【請求項３９】
請求項２２〜３４のいずれか１項に記載の股関節内プロテーゼシステムにおいて、髄腔遮断体（９）が、対応する案内棒接続部（９１）と共に構成されこと、を特徴とするもの。
【請求項４０】
請求項１〜３９のいずれか１項に記載の股関節内プロテーゼシステムにおいて、
ソケット直径、インレー直径、頭部直径、頸部直径、軸直径、頸部長さ（ｌｈ）、軸長さ（ｌｓ）、テーパ角（π）及び（ρ）、並びに、ＣＣＤ角（ζ）及びＣＣＤ補正角（ε）のパラメータが、解剖学的条件により良く適合させるために種々の寸法で構成されること、を特徴とするもの。